(57)【要約】      （修正有）【課題】書台板（透明板）への照明光を、書物の形状に合わせて最適位置に照射し、照明光源の下に遮光カバーを設けて読者の目に照明光が入らないようにした読書台照明装置を提供する。【解決手段】照明光は書物の形状に合わせて照射方向を最適位置に調整可能な調整機構を用い、照明光は読者の目に入らないよう遮光カバーを設け、読書の快適性と目の疲労を軽減する。【選択図】図１
2012146513.tif 000002
【特許請求の範囲】
【請求項１】
床面水平板と床面垂直板と書台垂直板と書台板を略コの字型に組合せた読書台において、前記書台垂直板の内側と、前記書台板の下側で構成されるコーナー部に、前記書台板への照射光源位置を調整可能な調整機構を用いて、前記光源の下面及び側面全周を囲む遮光カバーを固定し、前記書台板への照射方向が調整可能で、読者の目に照射光が直接照射しないようにしたことを特徴とする読書台照明装置。
【請求項２】
前記請求項１に記載の読書台照明装置において、前記調整機構は、前記書台垂直板の外側に光源電源部を内蔵した電源ボックスを取付け、前記電源ボックス上端面と、前記書台垂直板の内側で上方を開口した遮光カバーの前記書台垂直板側の間を、前記書台垂直板の上端に設けた切欠き溝を通して曲撓自在な蛇腹パイプで連結保持し、前記遮光カバーを任意の傾き角度に調整可能にしたことを特徴とする読書台照明装置。
【請求項３】
前記請求項１に記載の読書台照明装置において、前記調整機構は、前記書台垂直板の外側に光源電源部を内蔵した電源ボックスを取付け、前記書台垂直板の上端に設けた切欠き溝付近の外側に回転軸固定板を取付け、前記書台垂直板の内側で上方を開口した遮光カバーの前記書台垂直板側に回転軸可動板を取付け、前記書台垂直板の上端に設けた切欠き溝を通して前記回転軸可動板を前記回転軸固定板と同軸に、ボルトと蝶ナットで連結保持し、前記回転軸可動板の回転により光源カバーを任意の傾き角度に調整可能にしたことを特徴とする読書台照明装置。
【請求項４】
前記請求項１から３に記載の読書台照明装置において、前記遮光カバーは、光源部材を保持するソケットを内側に固定保持し、前記光源部材の側面と下面外周を囲む遮光部材で、形状は略ハートマークの中心から半分をカットした形で、カット面を上側にして先細側を前記書台板の外側に向け、不透明または半透明材料で構成したことを特徴とする読書台照明装置。
【発明の詳細な説明】
【技術分野】
【０００１】
この発明は、書台板の上に読物を載せ、下から照射して、寝ながら安楽姿勢で、読物を明るく快適に読む道具に関する。  
【背景技術】
【０００２】
従来のものは、台座（１）の上部に回転筒（３）を設け、その中に回転軸（５）を入れ、上下左右に動くようにし、前記回転筒（３）  に照明（４）を取付け、前記回転軸（５）に籍を乗せる架台枠（６）を取付け、架台枠（６）に滑り止め（７）を取付けた仰臥読書スタンドが下記特許文献１に示されているが、照明（４）には遮光カバーが無く、照明の光が読者の目に入り、まぶしくて読書が苦痛になる欠点がある。また、照明光源の位置を調整する構造も示されておらず、読書台の照明装置として不便である。
【先行技術文献】
【特許文献】
【０００３】
【特許文献１】実用新案公開平６−６６３７４号公報
【発明の概要】
【０００４】
本発明は上記事情に鑑みてなされたもので、その目的は、書台板（透明板）への照明光を、読物の形状に合わせて最適位置に調整し、更に照明光源の下に遮光カバーを設けて読者の目に照明光が入らないようにしたことを特徴とする読書台照明装置を提供することにある。
【発明が解決しようとする課題】
【０００５】
（１）照明光は読物の形状に合わせて最適位置に調整可能にすることが必要。
（２）  照明光は読者の目に入らないよう遮光することが必要。
【課題を解決するための手段】
【０００６】
（１）照明光は書物の形状に合わせて照射方向を最適位置に調整可能構造にする。
（２）  照明光は読者の目に入らないよう遮光カバーを設ける。
【発明の効果】
【０００７】
（１）照明光は書物の形状に合わせて照射方向を最適位置に調整可能にすることにより、読者の読みたい所を重点に照明し読書が快適になる。
（２）  照明光は読者の目に入らないよう遮光カバーを設けることにより、読書がし易くなり、目の疲労を軽減する効果がある。
【図面の簡単な説明】
【０００８】
【図１】本発明の実施例１の斜視図
【図２】本発明の実施例１の分解斜視図
【図３】本発明の実施例１の書台板を跳ね上げた斜視図
【図４】本発明の実施例２の側面断面図
【図５】本発明の実施例１、２の使用状態を示す斜視図
【発明を実施するための形態】
【０００９】
以下に実施例１及び２を、図１から図５を参照して説明する。
図２は図１の分解斜視図で、図３は図１の４書台板を３書台垂直板の上方に跳ね上げた状態を示す。図４は実施例２の図１相当の側面断面図で、図５は実施例１、２の読者が枕を使って読書している状態を示す。
先ず実施例１を説明する。１床面水平版と２床面垂直板はＬ字形に曲げて一体的に構成し、２床面垂直板には７ガイド溝が両端に垂直に設けてある、３書台垂直板の両端に前記７ガイド溝とピッチを合わせて１３雄螺子穴が設けられ、８雄螺子の頭部首下の四角が嵌りあう四角形にしてある、上端には３Ａ曲げ部が設けられ、１０蝶番取付用の１１Ａ蝶番取付穴Ａが設けてあり、１１蝶番螺子Ａによって組みつけられる。４書台板は透明部材で作られ、先端部には６切り欠穴が設けられ、反射防止と透明部材の透光損失防止がなされている。後端部には１０蝶番取付用の１２Ａ蝶番取付穴Ｂ  が設けてあり１２蝶番螺子Ｂによって組みつけられる。８雄螺子は３書台垂直板側から通して２床面垂直板の裏側で９蝶ナットによって締め付けられる。完成した状態が図１で、５書物を４書台板の上に載せて書物の文章部分を６切り欠穴に合わせて下から読書が行われる。
尚、この６切り欠穴は読者が下から指を使って本を移動させる時にも便利である。
図５はその使用状態を示したもので、この事例では布団無しに読書しているが、１床面水平板と枕の間に布団を入れても良い。図３は４書台板を３書台垂直板の上に跳ね上げた状態図で、読者が寝起きする時便利で、収納時にも用いる。
４書台板の高さを調節するには９蝶ナットを緩めて、４書台板を目の焦点位置に合わせて９蝶ナットを締め付ける。４書台板の回転軸は１０蝶番を用いているが、３書台垂直板と４書台板の側面の一方に軸受穴を設け、他方に回転軸を設けて回転軸機構としても良い。次に照明装置であるが、図２に示すように１２光源電源部と１６点灯スイッチを装着した１７電源ボックスと２０蛇腹パイプと１９遮光カバーと１８光源（蛍光灯）で構成され、１７電源ボックスは３書台垂直板の外側下部にねじで固定され、１７電源ボックスに取付けられた曲撓自在な２０蛇腹パイプを３書台垂直板上端に設けられた１４切欠き溝を通して、３書台垂直板の内側と４書台板の下側で構成されるコーナー部に導入し、２０蛇腹パイプに取付けられた１９遮光カバーの開口面を４書台板側に向けて装着し、１８光源（蛍光灯）で４書台板を下側から上に向けて照射する。組付け後の状態は図１及び図３に示すとおりで、１９遮光カバーの固定位置を変化させることで４書台板への照射位置を変化させることができる。１８光源として蛍光灯、ＬＥＤ、白熱電球いずれを採用しても良いが、発明者の試験結果では蛍光灯が最も光ムラが少なく読書がし易かった。また、１９遮光カバーは、光源部材を保持するソケットを内側に固定保持する。光源部材の側面と下面外周を囲む遮光カバーは、形状を略ハートマークの中心から半分をカットした形とし、カット面を上側にして先細側を前記書台板の外側に向け、材料は不透明または半透明部材で構成される、試作品では白色のＡＢＳ樹脂を用いたが、半透明状態で遮光カバーの外部は白く光っているが読書を邪魔する程の光度は無かった、不透明部材を用いた方が更に良いと思われた。      
【００１０】
次に、実施例２を図４を参照して説明する。
図４は図１の中心側面断面図に相当し、１７電源ボックスは３書台垂直板の外側下部にねじ固定され、１８光源を内蔵した１９遮光カバーは開口面を４書台板側に向けて２２回転軸可動板で固定され、３書台垂直板に設けた１４切欠き溝を通して３書台垂直板の外側に取付けた２１回転軸固定板の回転軸穴と同軸に２３ボルトと蝶ナットで固定され、１８光源（蛍光灯）で４書台板を下側から上に向けて照射する。２３ボルトと蝶ナットを緩めて１９遮光カバーの固定位置を変化させることで４書台板への照射位置を変化させることができる。θは光源傾斜調整角度を示している。実施例１、２の比較では、コスト的に実施例２の方が安価で軽量化される。図５は本発明の実施例１、２の使用状態を示す斜視図で、枕を使って人が読書している。
【産業上の利用可能性】
【００１１】
近年、健康な高齢者の増加により読書熱が高まっており、疲れやすい高齢者の読書を安楽姿勢で安全に行う器具として照明装置は不可欠の装置である。更に、怪我等で入院し、または自宅で、布団やベッド等で寝ている人にも幅広く使い易い読書器具として照明機能が効果を発揮する。
【符号の説明】
【００１２】
１床面水平板、２床面垂直板、３書台垂直板、４書台板、５書物、６切り欠穴、      
７ガイド溝、８雄螺子、９蝶ナット、１０蝶番、１１蝶番螺子Ａ、１２蝶番螺子Ｂ、１３雄螺子穴、３Ａ曲げ部、１１Ａ蝶番取付穴Ａ、１２Ａ蝶番取付穴Ｂ、１４切欠き溝、１５光源電源部、１６点灯スイッチ、１７電源ボックス、１８光源、
１９遮光カバー、２０蛇腹パイプ、２１回転軸固定板、２２回転軸可動板、
２３ボルトと蝶ナット、θ光源傾斜調整角度
【図１】
2012146513.tif 000003
【図２】
2012146513.tif 000004
【図３】
2012146513.tif 000005
【図４】
2012146513.tif 000006
【図５】
2012146513.tif 000007
【手続補正書】
【提出日】平成23年5月13日(2011.5.13)
【手続補正１】
【補正対象書類名】特許請求の範囲
【補正対象項目名】請求項１
【補正方法】変更
【補正の内容】
【請求項１】
床面水平板と床面垂直板と書台垂直板と書台板を略コの字型に組合せた読書台において、前記書台垂直板の内側と、前記書台板の下側で構成されるコーナー部に、前記書台板への照射光源位置を調整可能な調整機構を用いて、前記光源の下面及び側面全周を囲む遮光カバーを固定し、前記書台板への照射方向が調整可能で、前記光源用の電源部を前記略コの字型に組合せた読書台の部材の外側に配置したことを特徴とする読書台照明装置。

【手続補正２】
【補正対象書類名】特許請求の範囲
【補正対象項目名】請求項４
【補正方法】変更
【補正の内容】
【請求項４】
前記請求項１から３のいずれかに記載の読書台照明装置において、前記遮光カバーは、光源部材を保持するソケットを内側に固定保持し、前記光源部材の側面と下面外周を囲む遮光部材で、形状は略ハートマークの中心から半分をカットした形で、カット面を上側にして先細側を前記書台板の外側に向け、不透明または半透明材料で構成し、前記光源と遮光カバーを前記略コの字型に組合せた読書台の部材の内側に配置し、前記光源用の電源部と開閉スイッチを外側へ配置したことを特徴とする読書台照明装置。
【手続補正書】
【提出日】平成23年8月31日(2011.8.31)
【手続補正１】
【補正対象書類名】特許請求の範囲
【補正対象項目名】請求項１
【補正方法】変更
【補正の内容】
【請求項１】
床面水平板と床面垂直板と書台垂直板と書台板を略コの字型に組合せた読書台で、前記書台垂直板の内側と、前記書台板の下側で構成されるコーナー部に、前記書台板への照射光源位置を調整可能な調整機構を用いるものにおいて、
前記調整機構は、前記書台垂直板の外側に光源電源部を内蔵した電源ボックスを取付け、前記電源ボックス上端面と、前記書台垂直板の内側で上方を開口した遮光カバーの前記書台垂直板側の間を、前記書台垂直板の上端に設けた切欠き溝を通して曲撓自在な蛇腹パイプで連結保持し、前記遮光カバーを任意の傾き角度に調整可能にしたことを特徴とする読書台照明装置。

【手続補正２】
【補正対象書類名】特許請求の範囲
【補正対象項目名】請求項２
【補正方法】変更
【補正の内容】
【請求項２】
前記請求項１に記載の読書台照明装置において、前記調整機構は、前記書台垂直板の外側に光源電源部を内蔵した電源ボックスを取付け、前記書台垂直板の上端に設けた切欠き溝付近の外側に回転軸固定板を取付け、前記書台垂直板の内側で上方を開口した遮光カバーの前記書台垂直板側に回転軸可動板を取付け、前記書台垂直板の上端に設けた切欠き溝を通して前記回転軸可動板を前記回転軸固定板と同軸に、ボルトとナットで連結保持し、前記回転軸可動板の回転により光源カバーを任意の傾き角度に調整可能にしたことを特徴とする読書台照明装置。